(57)【要約】【課題】複数の印字オブジェクトのうち、操作者が意図する１つの印字オブジェクトを容易かつ確実に選択する。【解決手段】ラベル作成装置３に接続可能に構成された操作端末２に備えられた制御回路１４のＣＰＵは、操作部１２を介した印字オブジェクトＲ１，Ｒ２，Ｒ３，Ｒ４の編集操作を受け付け、受け付けた編集操作に基づき、印字オブジェクトＲ１，Ｒ２，Ｒ３，Ｒ４が配置されたラベルイメージＬＩ１を生成し、タッチパネル部１３に表示する。またＣＰＵは、操作検出部１７の検出結果に基づき、ラベルイメージＬＩ１に含まれる複数の印字オブジェクトＲ２，Ｒ３に対し略同時に選択がなされたか否かを判定する。この略同時の第１選択がなされたと判定されたことを契機に、当該複数の印字オブジェクトＲ２，Ｒ３を、大きな離間距離Ｌ２で離間させたラベルイメージＬＩ４を生成し、タッチパネル部１３に表示する。【選択図】図６
2014232513.tif 000002
【特許請求の範囲】
【請求項１】
被印字媒体に対し印字オブジェクトを印字形成して印刷物を作成する印刷装置に接続可能に構成され、所望の操作入力を実行可能な操作手段、前記操作手段への前記操作入力を検出する検出手段、及び、所望の表示を行う表示手段、を有する操作端末に備えられた演算手段に対し、
前記操作手段を介した、前記印刷物に印字形成する前記印字オブジェクトの編集操作を受け付ける編集受付手順と、
前記編集受付手順で受け付けた前記編集操作に基づき、少なくとも１つの前記印字オブジェクトが配置された第１印刷物イメージを生成し、前記表示手段に表示する第１イメージ表示手順と、
前記検出手段の検出結果に基づき、前記第１印刷物イメージに含まれる複数の前記印字オブジェクトに対し略同時に第１選択がなされたか否かを判定する第１選択判定手順と、
前記第１選択判定手順で前記略同時の前記第１選択がなされたと判定されたことを契機に、当該第１選択に係わる前記複数の印字オブジェクトを、第１印刷物イメージにおける第１離間距離よりも大きい第２離間距離で離間させた第２印刷物イメージを生成し、前記表示手段に表示する第２イメージ表示手順と、
を実行させるための操作入力処理プログラム。
【請求項２】
請求項１記載の操作入力処理プログラムにおいて、
前記操作端末は、
前記操作手段及び前記表示手段としてのタッチパネル部と
前記タッチパネル部への接触による前記操作入力を検出する前記検出手段と、
を有しており、
前記第１イメージ表示手順では、
前記第１印刷物イメージを生成して前記タッチパネル部に表示し、
前記第１選択判定手順では、
前記検出手段の検出結果に基づき、前記第１印刷物イメージに含まれる前記複数の印字オブジェクトに跨った略同時の接触による前記第１選択がなされたか否かを判定し、
前記第２イメージ表示手順では、
前記第２印刷物イメージを前記タッチパネル部に表示する
ことを特徴とする操作入力処理プログラム。
【請求項３】
請求項１記載の操作入力処理プログラムにおいて、
前記検出手段は、
前記操作手段としてのキーボード又はマウス又はタッチパッドを介した前記操作入力を検出し、
前記第１イメージ表示手順では、
前記第１印刷物イメージを生成して前記表示手段としてのディスプレイに表示し、
前記第１選択判定手順では、
前記検出手段の検出結果に基づき、前記第１印刷物イメージに含まれる前記複数の印字オブジェクトに対する前記キーボード又は前記マウス又は前記タッチパッドを用いた略同時の前記第１選択がなされ、かつ、当該第１選択された複数の印字オブジェクト間の距離が所定のしきい値以内であるか否かを判定し、
前記第２イメージ表示手順では、
前記第２印刷物イメージを前記ディスプレイに表示する
ことを特徴とする操作入力処理プログラム。
【請求項４】
請求項３記載の操作入力処理プログラムにおいて、
前記演算手段に対し、さらに、
前記第１選択判定手順で前記略同時の前記第１選択がなされかつ前記距離が前記所定のしきい値以内であると判定された場合に、前記第２印刷物イメージの生成可否の確認操作入力を促す表示を前記ディスプレイに表示する確認表示手順を実行させ、
前記第２イメージ表示手順では、
前記キーボード又は前記マウス又は前記タッチパッドを介し、前記確認表示手順に対応した前記確認操作入力があった場合に、前記第２印刷物イメージを前記ディスプレイに表示する
ことを特徴とする操作入力処理プログラム。
【請求項５】
請求項１乃至請求項４のいずれか１項記載の操作入力処理プログラムにおいて、
前記第２イメージ表示手順で前記表示手段に前記第２印刷物イメージが表示された状態で、前記検出手段の検出結果に基づき、当該第２印刷物イメージにおけるいずれか１つの前記印字オブジェクトに対し第２選択がなされたか否かを判定する第２選択判定手順と、
前記第２選択判定手順で前記１つの印字オブジェクトの前記第２選択がなされたと判定された場合に、当該第２選択に係わる前記１つの印字オブジェクトに対し他の印字オブジェクトとは異なる装飾態様を付すとともに、当該１つの印字オブジェクトを含む前記第１選択に係わる前記複数の印字オブジェクトをもとの前記第１離間距離で離間させた、第３印刷物イメージを生成し、前記表示手段に表示する第３イメージ表示手順と、
を実行させるための操作入力処理プログラム。
【発明の詳細な説明】
【技術分野】
【０００１】
本発明は、印刷装置を操作する操作端末で実行される、操作入力処理プログラムに関する。
【背景技術】
【０００２】
印刷装置に操作端末を接続し、操作端末での操作者の操作に応じて、印刷装置が印字オブジェクトを被印字媒体に印字する技術が既に知られている（例えば、特許文献１参照）。この従来技術では、操作端末において、操作者が印字オブジェクトの編集操作を行うと、その編集操作に対応した複数の印字オブジェクトが含まれる印刷物イメージ（ラベルイメージ）が、表示装置に表示される。
【先行技術文献】
【特許文献】
【０００３】
【特許文献１】特開２００６−９９２６１号公報
【発明の概要】
【発明が解決しようとする課題】
【０００４】
上記のように印刷物イメージに複数の印字オブジェクトが含まれている場合に、操作者がそれら複数の印字オブジェクトのうちのいずれか１つに対する編集操作を行いたいときは、例えばマウス等を用いてカーソルにより選択操作を行う必要がある。このときに、上記複数の印字オブジェクトが密集していたり重なっている等により、当該意図する１つの印字オブジェクトを含む複数の印字オブジェクトを、誤って同時に選択してしまうおそれがあった。
【０００５】
本発明の目的は、複数の印字オブジェクトのうち、操作者が意図する１つの印字オブジェクトを容易かつ確実に選択できる、操作入力プログラムを提供することにある。
【課題を解決するための手段】
【０００６】
上記目的を達成するために、本願発明は、被印字媒体に対し印字オブジェクトを印字形成して印刷物を作成する印刷装置に接続可能に構成され、所望の操作入力を実行可能な操作手段、前記操作手段への前記操作入力を検出する検出手段、及び、所望の表示を行う表示手段、を有する操作端末に備えられた演算手段に対し、前記操作手段を介した、前記印刷物に印字形成する前記印字オブジェクトの編集操作を受け付ける編集受付手順と、前記編集受付手順で受け付けた前記編集操作に基づき、少なくとも１つの前記印字オブジェクトが配置された第１印刷物イメージを生成し、前記表示手段に表示する第１イメージ表示手順と、前記検出手段の検出結果に基づき、前記第１印刷物イメージに含まれる複数の前記印字オブジェクトに対し略同時に第１選択がなされたか否かを判定する第１選択判定手順と、前記第１選択判定手順で前記略同時の前記第１選択がなされたと判定されたことを契機に、当該第１選択に係わる前記複数の印字オブジェクトを、第１印刷物イメージにおける第１離間距離よりも大きい第２離間距離で離間させた第２印刷物イメージを生成し、前記表示手段に表示する第２イメージ表示手順と、を実行させる。
【０００７】
本願発明においては、印刷装置と操作端末とが接続される。操作端末での操作者の操作に応じて、印刷装置が印字オブジェクトを被印字媒体に印字形成することにより、印刷物が作成される。
【０００８】
操作端末は、操作手段、検出手段、表示手段、演算手段を備えている。本願発明の操作入力処理プログラムが上記操作端末の演算手段で実行されると、編集受付手順で、操作手段を介した印字オブジェクトの編集操作が受け付けられる。その後、第１イメージ表示手順では、上記編集操作に対応した印刷物イメージ（第１印刷物イメージ）が表示手段に表示される。この第１印刷物イメージにおいては、少なくとも１つの印字オブジェクトが含まれ、適宜の箇所に配置されている。
【０００９】
ここで、そのような第１印刷物イメージに複数の印字オブジェクトが含まれている場合に、操作者がそれら複数の印字オブジェクトのうちのいずれか１つに対する編集操作を意図して選択を行おうとした際、例えばタッチパネルにおける接触操作において（当該意図する１つの印字オブジェクトを含む）複数の印字オブジェクトを誤って選択してしまう場合がある。あるいは、例えばキーボード又はマウス又はタッチパッドを用いてカーソルにより選択操作するときに、複数の印字オブジェクトが密集していたり重なっている等により（当該意図する１つの印字オブジェクトを含む）複数の印字オブジェクトを誤って選択してしまう場合もある。
【００１０】
そこで、本願発明では、第１選択判定手順と、第２イメージ表示手順とが設けられる。すなわち、第１選択判定手順では、検出手段の検出結果に基づき、第１印刷物イメージに含まれる複数の印字オブジェクトに対し略同時に選択（第１選択）がなされたか否かが判定される。上記のようにして誤って複数の印字オブジェクトが選択され上記判定が満たされた場合には、これを契機に、上記第１印刷物イメージとは別の第２印刷物イメージが生成されて表示手段に表示される。この第２印刷物イメージでは、上記第１印刷物イメージ中に含まれる上記選択された複数の印字オブジェクトが、当該第１印刷物イメージ中での離間距離（離間距離）よりも大きな距離（第２離間距離）で離間させて表示される。このように、複数の印字オブジェクトが互いに離れて表示されるにより、操作者は、上記のような誤った選択を再度行うのを回避しつつ、自分の意図するただ１つの印字オブジェクトの選択を容易かつ確実に行うことができる。これにより、操作者にとっての利便性を向上することができる。
【発明の効果】
【００１１】
本発明によれば、複数の印字オブジェクトのうち、操作者が意図する１つの印字オブジェクトを容易かつ確実に選択することができる。
【図面の簡単な説明】
【００１２】
【図１】本発明の一実施形態に係わる印刷システム全体を表すシステム構成図である。
【図２】操作端末の機能的構成を表す機能ブロック図である。
【図３】ラベル作成装置の機能的構成を表す機能ブロック図である。
【図４】ラベル作成装置の制御回路によって実行される制御手順の一例を示すフローチャートである。
【図５】タッチパネル部に表示されるラベルイメージの一例を表す説明図である。
【図６】タッチパネル部での接触操作による選択の流れを表す説明図である。
【図７】タッチパネル部での接触操作による選択の流れを表す説明図である。
【図８】制御回路のＣＰＵが実行する制御手順を示すフローチャートである。
【図９】タッチパネルでなくキーボード等で操作するＰＣを用いる変形例を示す説明図である。
【図１０】カーソルの操作による選択の流れを表す説明図である。
【図１１】カーソルの操作による選択の流れを表す説明図である。
【図１２】制御回路のＣＰＵが実行する制御手順を示すフローチャートである。
【図１３】携帯型の操作端末を用いる変形例における、当該操作端末の上面図である。
【図１４】操作端末の機能的構成を表す機能ブロック図である。
【図１５】タッチパネル部での接触操作による選択の流れを表す説明図である。
【図１６】タッチパネル部での接触操作による選択の流れを表す説明図である。
【発明を実施するための形態】
【００１３】
以下、本発明の実施形態を図面を参照しつつ説明する。
【００１４】
＜実施形態＞
本発明の実施形態を図１〜図１２により説明する。この実施形態では、操作端末において、操作入力処理プログラムとしてラベル作成用処理プログラムを実行する場合を例にとって説明する。
【００１５】
＜操作端末及びラベル作成装置の概略構成＞
図１に示すように、本実施形態が適用される印刷システム１は、例えば汎用パーソナルコンピュータで構成される操作端末２と、例えばＵＳＢケーブル等の有線接続又は無線接続によって操作端末２に対し情報送受信可能に接続された、ラベル作成装置３（印刷装置）とを有している。
【００１６】
ラベル作成装置３は、操作端末２との間で各種の情報と指示信号を送受し、操作端末２から送信された所望の文字や図形などを含む印字データに基づき、所定の印刷が施された印字ラベルＬ（印刷物）を作成する。
【００１７】
図１に示すように、操作端末２は、ラベル作成装置３を操作するために用いられる。操作端末２は、操作者が操作可能な、キーボードＫＢ、タッチパッドＴＰ、及びマウスＭＵ等からなる操作部１２と、タッチパネル部１３とを有する。なお、本実施形態では、上記タッチパネル部１３が、各請求項記載の操作手段を構成すると共に、表示手段をも構成する。
【００１８】
＜操作端末の機能的構成＞
上記操作端末２の機能的構成を図２に示す。操作端末２は、制御回路１４と、各種情報を記憶するメモリ１５と、通信制御部１６と、操作検出部１７（検出手段）と、上記操作部１２と、上記タッチパネル部１３と、を有する。
【００１９】
通信制御部１６は、無線通信（又は有線通信）を介して上記ラベル作成装置３との間で行われる情報通信の制御を行う。
【００２０】
制御回路１４は、図示しないＣＰＵ（演算手段に相当）と、ＲＯＭと、を備えている。この制御回路１４のＣＰＵは、ＲＡＭの一時記憶機能を利用しつつ、ＲＯＭに予め記憶された各種プログラムを実行する。この各種プログラムには、後述する図８、図１２に示す手順を実行するためのラベル作成用処理プログラム（操作入力処理プログラムに相当）が含まれている。また、制御回路１４は、通信制御部１６を介し、無線通信（又は有線通信）によりラベル作成装置３と接続されており、ラベル作成装置３と各種情報やデータの送受が可能となっている。
【００２１】
メモリ１５は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。上記ラベル作成用処理プログラムを含む上記各種プログラムは、このメモリ１５に記憶されていてもよい。
【００２２】
タッチパネル部１３は、所定の操作機能及び所定の表示機能を備えている。すなわち、タッチパネル部１３は、操作者の操作部１２を介した操作入力に基づき、印字ラベルＬに印字するオブジェクト（詳細は後述）を含むラベルイメージＬＩ１〜ＬＩ５等を表示することができる（後述の図６、図７等を参照）。また、このタッチパネル部１３では、操作者の指先の接触操作により、上記のようにして表示されたラベルイメージＬＩ１〜ＬＩ５のオブジェクトを（例えば編集のために）選択することできる（詳細は後述）。このときの上記接触操作は上記操作検出部１７によって検出され、対応する検出信号が制御回路１４へ出力される。
【００２３】
＜ラベル作成装置の機能的構成＞
上記ラベル作成装置３の機能的構成を図３に示す。図３において、ラベル作成装置３は、制御回路２５と、各種情報を記憶するメモリ２６と、通信制御部２８と、適宜の表示を行う表示部２２と、操作者が所望の操作を実行可能な操作部２３と、カートリッジホルダ３２と、搬送装置２９と、印字ヘッド３０と、カッタ２７とを有する。
【００２４】
通信制御部２８は、上記のように無線又は有線を介し操作端末２との間で行われる情報通信の制御を行う。
【００２５】
制御回路２５は、図示しないＣＰＵ、ＲＡＭ、及びＲＯＭを備えている。この制御回路２５は、ＲＡＭの一時記憶機能を利用しつつ、ＲＯＭに予め記憶された各種プログラムを実行する。これにより、制御回路２５は、ラベル作成装置３全体の制御を行う。また、制御回路２５は、通信制御部２８を介して操作端末２と接続されており、操作端末２とデータの送受が可能となっている。
【００２６】
メモリ２６は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ２６には、操作端末２から送信された上記印字データを格納可能となっている。
【００２７】
カートリッジホルダ３２は、被印字テープ３３（被印字媒体）を供給可能なカートリッジ３１を着脱可能に構成されている。カートリッジ３１は、被印字テープ３３を図示しないリール部材の周りに巻回したテープロール３４（本来は渦巻き状であるが簡略化して同心円で図示している）を備えている。
【００２８】
搬送装置２９は、印字ヘッド３０に対向して設けられている。この搬送装置２９は、制御回路２５の制御に基づき、カートリッジホルダ３２に装着したカートリッジ３１のテープロール３４から繰り出され供給される、上記被印字テープ３３を搬送する。
【００２９】
印字ヘッド３０は、制御回路２５の制御に基づき、テープロール３４から繰り出され搬送装置２９により搬送される上記被印字テープ３３に対し、上記印字データに対応した所望の印字を形成する。
【００３０】
カッタ２７は、操作者により例えばカットレバー等（図示せず）が操作されることで、印字ヘッド３０による印字が終了した被印字テープ３３を切断し、上記印字ラベルＬを生成する。
【００３１】
＜印字ラベルの作成手順＞
図４に、印字ラベル作成時にラベル作成装置３の制御回路によって実行される制御手順の一例を示す。このフローに示す処理は、操作者が操作端末２によって印字ラベルのイメージを編集（詳細は後述）した後、操作部１２やタッチパネル部１３を適宜に操作する等によってラベル作成装置３に対しラベル作成指示を出力することにより、開始される。
【００３２】
図４において、まずステップＳ１１０で、制御回路２５は、搬送装置２９に制御信号を出力し、カートリッジホルダ３２に装着されたカートリッジ３１のテープロール３４からの被印字テープ３３の繰り出し、すなわち被印字テープ３３の搬送を開始させる。
【００３３】
そして、ステップＳ１２０に移り、制御回路２５は、被印字テープ３３が所定量だけ搬送されたかどうかを判定する。なお、この所定量とは、例えば、被印字テープ３３の図示しない印字領域の先端が、印字ヘッド３０とほぼ対向する位置に到達するだけの搬送距離（いわゆる前余白用の搬送量）である。所定量搬送されるまでステップＳ１２０の判定が満たされず（Ｓ１２０：ＮＯ）、ループ待機し、所定量搬送されたらステップＳ１２０の判定が満たされて（Ｓ１２０：ＹＥＳ）、ステップＳ１３０に移る。
【００３４】
ステップＳ１３０では、制御回路２５は、印字ヘッド３０に制御信号を出力し、搬送装置２９により搬送される被印字テープ３３の印字領域に対し、メモリ２６に格納された上記印字データ（後述する編集操作後、対応する印字データが操作端末２から送信され、メモリ２６に格納されている）の印字を開始させる。
【００３５】
その後、ステップＳ１４０で、制御回路２５は、上記ステップＳ１３０で開始した印字ヘッド３０による被印字テープ３３の印字領域への印字データの印字がすべて完了しているかどうかを判定する。印字がすべて完了するまでステップＳ１４０の判定が満たされず（Ｓ１４０：ＮＯ）、ループ待機し、印字がすべて完了したらステップＳ１４０の判定が満たされて（Ｓ１４０：ＹＥＳ）、ステップＳ１５０に移る。
【００３６】
ステップＳ１５０では、制御回路２５は、被印字テープ３３がさらに所定量（例えば印字領域のすべてがカッタ２７を所定の長さ分越えるだけの搬送距離。いわゆる後余白用の搬送量）だけ搬送されたかどうかを判定する。所定量搬送されるまでステップＳ１５０の判定が満たされず（Ｓ１５０：ＮＯ）、ループ待機し、所定量搬送されたらステップＳ１５０の判定が満たされて（Ｓ１５０：ＹＥＳ）、ステップＳ１６０に移る。
【００３７】
ステップＳ１６０では、制御回路２５は、搬送装置２９に制御信号を出力し、ステップＳ１１０で開始させたテープロール３４からの被印字テープ３３の繰り出し、すなわち被印字テープ３３の搬送を停止させる。
【００３８】
そして、ステップＳ１７０では、制御回路２５は、上記表示部２２に表示信号を出力することにより、「カットレバー２４の操作で被印字テープ３３を切断可能な状態である」旨の表示を行わせる。この表示に応じて操作者がカットレバー等（図示せず）を操作すると、上記カッタ２７が作動して被印字テープ３３が切断される。このカッタ２７による切断によって、被印字テープ３３から印字ヘッド３０による印字が行われた部分が切り離されて、上記印字ラベルＬが作成される。その後、このフローに示す処理を終了する。
【００３９】
＜ラベルイメージの編集＞
本実施形態では、上記のようにして作成される印字ラベルＬのラベルイメージをタッチパネル部１３に表示させつつ、操作者がタッチパネル部１３上で適宜の操作を行うことで、印字ラベルＬへの印字内容の編集作業を行うことができる。そのような編集について、図５（ａ）〜図５（ｃ）により説明する。
【００４０】
＜編集前のラベルイメージの例＞
図５（ａ）に、タッチパネル部１３に表示される、元々の（編集前の）ラベルイメージＬＩａの一例を示す。図５（ａ）に示す例では、タッチパネル部１３に表示された適宜の編集画面（図示省略）に、略長方形のラベル外形線によって囲まれたラベルイメージＬＩａが表示されている。このラベルイメージＬＩａには、複数（この例では４つ）の印字オブジェクトＲ１，Ｒ２，Ｒ３，Ｒ４が例えば適宜のテンプレートを用いて表示され、操作者による編集（修正や加工等）が可能となっている。
【００４１】
この例では、印字オブジェクトＲ１は、「★★Ｍｉｌｋ  Ｃｈｏｃｏｌａｔｅ★★」の文字列により構成されている。この印字オブジェクトＲ１は、例えば予め図示の位置に設けられたブロック内に、上記キーボードＫＢを用いた操作者の操作入力によって形成されている。また、印字オブジェクトＲ１は、この例ではラベルイメージＬＩａにおける図示上側に配置されている。
【００４２】
印字オブジェクトＲ２は、「￥１９８」の文字列により構成され、上記同様の操作者の操作入力によって形成される。また印字オブジェクトＲ２は、この例ではラベルイメージＬＩａにおける上記印字オブジェクトＲ１の図示下方に隣接して配置されている。
【００４３】
印字オブジェクトＲ３は、二重線（取消線）により構成されており、この例では、印字オブジェクトＲ２の「￥１９８」に重なるように配置されている。
【００４４】
印字オブジェクトＲ４は、「←本日のお買い得品  さらに５０円引！」の文字列により構成されており、上記同様の操作者の操作入力によって形成される。また印字オブジェクトＲ４は、この例では、ラベルイメージＬＩａにおける、上記印字オブジェクトＲ１の図示下方でかつ上記印字オブジェクトＲ２の図示右側に隣接して配置されている。
【００４５】
＜編集後のラベルイメージの例＞
図５（ｂ）に、上記図５（ａ）のラベルイメージＬＩａに操作者により編集がなされた後のラベルイメージの例である、ラベルイメージＬＩｂを示す。この例では、上記印字オブジェクトＲ２が「￥１９８」の文字列から「￥１８８」の文字列に変更されている。
【００４６】
図５（ｃ）に、上記図５（ａ）のラベルイメージＬＩａに操作者により編集がなされた後のラベルイメージの他の例である、ラベルイメージＬＩｃを示す。この例では、上記印字オブジェクトＲ４中の「５０円引」の文字列が「１００円引」の文字列に変更されている。
【００４７】
＜印字オブジェクトの選択操作＞
本実施形態の最大の特徴は、上記のような編集を行うために印字オブジェクトを選択するときの、誤選択を防止する手法にある。以下、図５（ａ）のラベルイメージＬＩａを編集して図５（ｂ）のラベルイメージＬＩｂを生成する場合を例にとって、上記手法の詳細を順を追って説明する。
【００４８】
図５（ａ）のラベルイメージＬＩａがタッチパネル１３の適宜の表示画面１３Ａ中に表示されている状態を図６（ａ）に示す。前述したように、このラベルイメージＬＩ１には、「★★Ｍｉｌｋ  Ｃｈｏｃｏｌａｔｅ★★」の文字列からなる印字オブジェクトＲ１と、「￥１９８」の文字列からなる印字オブジェクトＲ２と、二重線からなる印字オブジェクトＲ３と、「←本日のお買い得品  さらに５０円引！」の文字列からなる印字オブジェクトＲ４と、を備えている。なお、ラベルイメージＬＩ１が各請求項記載の第１印刷物イメージに相当する。このような複数（この例では４つ）の印字オブジェクトを含むラベルイメージＬＩ１において、操作者は、タッチパネル部１３を指先Ｈでタッチすることにより、いずれか１つの印字オブジェクトＲを（編集するために）選択することができる。
【００４９】
ここで、前述したように、二重線からなる印字オブジェクトＲ３は、「￥１９８」の文字列からなる印字オブジェクトＲ２に対して重なるように配置されている。この結果、上記指先Ｈによる接触操作において、図６（ｂ）に示すように、操作者が選択を意図する１つの印字オブジェクト（例えば印字オブジェクトＲ３）のみならず、それを含む複数の印字オブジェクト（例えば印字オブジェクトＲ３と印字オブジェクトＲ２）を誤って同時に選択する（第１選択に相当）場合がありうる。
【００５０】
図６（ｂ）に示す例では、上記印字オブジェクトＲ２と印字オブジェクトＲ３との同時選択の結果、新たに生成されるラベルイメージＬＩ２において、「￥１９８」の文字列からなる印字オブジェクトＲ２においては、（選択されたことを表すために）その周囲に太枠（又は反転表示等でも良い）の装飾態様が表示されると共に、四隅に隅部表示Ｐ１が表示されている。また、印字オブジェクトＲ３においては、（上記同様に選択されたことを表すために）二重線の両端に、端部表示Ｐ２が表示されている。
【００５１】
上記のような誤選択が生じた場合、当該誤選択された複数（この例では２つ）の印字オブジェクトＲ２及び印字オブジェクトＲ３は、上記ラベルイメージＬＩ２から抜き出されて別々に分離表示される。すなわち、図６（ｃ）に示されるように、上記ラベルイメージＬＩ２に相当する部分は網み掛けがなされたラベルイメージＬＩ３となるとともに、上記抜き出された印字オブジェクトＲ２，Ｒ３が、上記ラベルイメージＬＩ３の図示下方における左右両側に分かれてそれぞれ表示される（後述の選択を待つ状態）。このときのそれら印字オブジェクトＲ２と印字オブジェクトＲ３との離間距離Ｌ２（第２離間距離に相当）は、上記ラベルイメージＬＩ１におけるそれら印字オブジェクトＲ２，Ｒ３の離間距離Ｌ１（第１離間距離に相当。図６（ｂ）の例では重なり合っているのでＬ１＝０である）よりも大きくなっている。なお、上記のように抜き出された印字オブジェクトＲ２，Ｒ３と、ラベルイメージＬＩ３とが、各請求項記載の第２印刷物イメージに相当している。
【００５２】
なお、図６（ｃ）に示すように、２つの印字オブジェクトＲ２，Ｒ３を抜き出して離間表示するのに代えて、ラベルイメージＬＩ２やラベルイメージＬＩ３から突出するように吹き出し表示を行わせ、その吹き出し表示の中に２つの印字オブジェクトＲ２，Ｒ３を離間表示してもよい。あるいは、タッチパネル部１３に新たに表示される（上記画面１３Ａとは別の）画面に移行して、当該画面において印字オブジェクトＲ２，Ｒ３を離間表示してもよい。
【００５３】
上記のようにして抜き出されて離間した状態となることで、図７（ａ）に示すように、操作者が、自らが意図する１つの印字オブジェクト（この例では印字オブジェクトＲ２のみを、指先Ｈの接触操作により改めて選択する（第２選択に相当）ことができる。この例では、このようにして選択された印字オブジェクトＲ２については、前述と同様、（選択されたことを表すために）その周囲に太枠等の装飾態様が表示されると共に、四隅に隅部表示Ｐ１が表示されている。なお、印字オブジェクトＲ３については（選択されていないことから）前述の端部表示Ｐ２は行われない。
【００５４】
上記のようにして、１つの印字オブジェクトＲ２が正しく選択されると、図７（ｂ）に示すように、新たに生成されるラベルイメージＬＩ４において、印字オブジェクトＲ１、印字オブジェクトＲ２、印字オブジェクトＲ３、及び印字オブジェクトＲ４が、元通り（当初の図６（ａ）のラベルイメージＬＩ１に示す通り）の配列に戻る。その際、上記同様、選択された印字オブジェクトＲ２については、前述の周囲の装飾態様と隅部表示Ｐ１とがそのまま継続して表示される。これによって、当該１つの印字オブジェクトＲ２の選択が確定する。なお、上記ラベルイメージＬＩ４が、各請求項記載の第３印刷物イメージに相当している。
【００５５】
以上の選択により、操作者は、当該選択された１つの印字オブジェクトＲ２を、上記キーボードＫＢを用いた操作者の操作入力（この例ではテキスト入力）により、所望に編集することができる。この結果、例えば図７（ｃ）に示すように、上記選択された印字オブジェクトＲ２における「￥１９８」の文字列を「￥１８８」の文字列に変更したラベルイメージＬＩ５（前述した図５（ｂ）のラベルイメージＬＩｂと同等）を表示画面１３Ａ中に生成することができる。
【００５６】
＜制御手順＞
上述した手法を実現するために、操作端末２の制御回路１４の上記ＣＰＵが、本実施形態の上記操作入力処理プログラムを用いて実行する操作入力処理方法の処理手順を、図８のフローチャートにより説明する。図８の処理は、例えば操作者が操作端末２の電源をＯＮすると開始される。
【００５７】
図８において、まず、ステップＳ１０で、ＣＰＵは、操作部１２等を介した操作者の文字や記号等の入力による、印字ラベルＬに印字形成するための文字列等の編集操作やその他の操作を受け付ける。このステップＳ１０が、各請求項記載の編集受付手順に相当する。
【００５８】
その後、ステップＳ１５で、ＣＰＵは、上記操作部１２等を介し、タッチパネル部１３に対するラベルイメージ表示の指示があったか否かを判定する。ラベルイメージ表示の指示がなければステップＳ１５の判定が満たされず（Ｓ１５：ＮＯ）、ステップＳ１０に戻って同様の手順を繰り返す。ラベルイメージ表示の指示があればステップＳ１５の判定が満たされ（Ｓ１５：ＹＥＳ）、ステップＳ２０へ移行する。
【００５９】
ステップＳ２０では、ＣＰＵは、タッチパネル部１３に制御信号を出力し、上記ステップＳ１０で受け付けた操作に基づく文字列等を含むラベルイメージ（前述の例では４つの印字オブジェクトＲ１，Ｒ２，Ｒ３，Ｒ４を含むラベルイメージＬＩ１。図６（ａ）参照）をタッチパネル部１３に表示させる。このステップＳ２０が、各請求項記載の第１イメージ表示手順に相当する。ステップＳ２０が終了すると、ステップＳ２５に移行する。
【００６０】
ステップＳ２５では、ＣＰＵは、操作検出部１７での検出結果に基づき、操作者によるタッチパネル部１３の操作が検出開始されたか否かを判定する。操作者が例えば指先Ｈをタッチパネル部１３に接触するまでは、ステップＳ２５の判定が満たされず（Ｓ２５：ＮＯ）、判定が満たされるまでループ待機する。操作者が例えば指先Ｈをタッチパネル部１３に接触するとステップＳ２５の判定が満たされ（Ｓ２５：ＹＥＳ）、ステップＳ３０に移る。なお、このステップＳ２５の判定が満たされた以降は、操作検出部１７からの検出信号に基づき、操作者の指先Ｈによるタッチパネル部１３の操作がＣＰＵにより継続的に検出されている。
【００６１】
ステップＳ３０では、ＣＰＵは、上記ステップＳ２５以降の検出結果に基づき、操作者の指先Ｈによる、ラベルイメージ中の複数の印字オブジェクト（上記の例では印字オブジェクトＲ２と印字オブジェクトＲ３）の略同時の選択操作（上記図６（ｂ）等参照）が検出されたか否かを判定する。複数の印字オブジェクトに跨った略同時の選択操作が検出されなければステップＳ３０の判定が満たされず（Ｓ３０：ＮＯ）、判定が満たされるまでループ待機する。略同時の選択操作が検出されるとステップＳ３０の判定が満たされ（Ｓ３０：ＹＥＳ）、ステップＳ５０に移る。なお、このステップＳ３０が、各請求項記載の第１選択判定手順に相当する。
【００６２】
ステップＳ５０では、ＣＰＵは、タッチパネル部１３に制御信号を出力し、上記ステップＳ３０で選択された複数の印字オブジェクト（上記の例では印字オブジェクトＲ２と印字オブジェクトＲ３）を抽出して互いに大きく（第２離間距離Ｌ２）離間させた、上記ラベルイメージＬＩ１とは別の上記ラベルイメージＬＩ３を、タッチパネル部１３に表示する（上記図６（ｃ）参照）。なお、このステップＳ５０が、各請求項記載の第２イメージ表示手順に相当する。その後、ステップＳ６０に移る。
【００６３】
ステップＳ６０では、ＣＰＵは、上記ステップＳ２５以降の検出結果に基づき、上述のようにして離間した複数の印字オブジェクトのいずれか一方（上記の例では印字オブジェクトＲ２）が、タッチパネル部１３への指先Ｈの接触によって再度選択されたか否かを判定する。いずれか一方の印字オブジェクトが選択されるまではステップＳ６０の判定が満たされず（Ｓ６０：ＮＯ）、判定が満たされるまでループ待機する。いずれか一方の印字オブジェクト（上記図７（ａ）の例では印字オブジェクトＲ２）が選択されるとステップＳ６０の判定が満たされ（Ｓ６０：ＹＥＳ）、ステップＳ７０に移行する。なお、このステップＳ６０が、各請求項記載の第２選択判定手順に相当する。
【００６４】
ステップＳ７０では、ＣＰＵは、タッチパネル部１３に制御信号を出力し、ステップＳ６０で選択された１つの印字オブジェクト（上記図７（ａ）の例では印字オブジェクトＲ２）を、元のラベルイメージ（上記の例ではラベルイメージＬＩ１）中に戻し、かつ他の印字オブジェクトとは異なる態様（上記の例では太枠等で強調された態様）としたラベルイメージＬＩ４を、タッチパネル部１３に表示する（上記図７（ｂ）参照）。その後、このフローを終了する。なお、上記ステップＳ７０が、各請求項記載の第３イメージ表示手順に相当する。
【００６５】
＜実施形態の効果＞
以上説明したように、本実施形態においては、操作者がタッチパネル部１３において複数の印字オブジェクト（上記の例では印字オブジェクトＲ３と印字オブジェクトＲ２）を誤って略同時に選択した場合、その後、それら複数の印字オブジェクトＲ１，Ｒ２が離間距離Ｌ２にて互いに大きく離れて表示される。これにより、操作者は、上記のような誤った選択を再度行うのを回避しつつ、自分の意図するただ１つの印字オブジェクト（上記の例では印字オブジェクトＲ２）の選択を容易かつ確実に行うことができる。これにより、操作者にとっての利便性を向上することができる。
【００６６】
また、本実施形態では特に、タッチパネル部１３における操作検出部１７の検出結果に基づき、複数の印字オブジェクトＲ２，Ｒ３に跨った略同時の接触による第１選択がなされたか否かが判定される（図８のステップＳ３０参照）。そして、当該判定が満たされた場合には、それら複数の印字オブジェクトＲ２，Ｒ３を大きく離間させてタッチパネル部１３に表示する（図８のステップＳ５０参照）。これにより、操作者が、タッチパネル部１３における接触操作において、複数の印字オブジェクトＲ２，Ｒ３を誤って略同時に選択してしまった場合であっても、その後、離間した状態の印字オブジェクトＲ２，Ｒ３から、意図する１つの印字オブジェクトＲ２を確実に選択しなおすことができる。
【００６７】
また、本実施形態では特に、上記のように離間して複数の印字オブジェクトＲ２，Ｒ３が表示された状態で、操作者がタッチパネル部１３によってそれらのうち１つの印字オブジェクトＲ２を選択すると、元通りの配置でそれら複数の印字オブジェクトＲ１，Ｒ２が配置されたラベルイメージＬＩ４が表示される。またその際、上記選択された１つの印字オブジェクトＲ２が、他の印字オブジェクトＲ１，Ｒ３，Ｒ４とは異なる装飾が付されて表示される。これにより、操作者は、自分の意図するただ１つの印字オブジェクトが正しく選択されたことを、視覚的に確実に認識することができる。
【００６８】
なお、本発明は、上記実施形態以外にも、その趣旨と技術思想の範囲を逸脱しない範囲でさらに種々の変形が可能である。以下、そのような変形例を順次説明する。上記実施形態と同等の部分には同一の符号を付し、適宜説明を省略又は簡略化する。
【００６９】
（１）タッチパネルでなくキーボード等で操作するＰＣを用いる場合
本変形例の操作端末２′では、図９に示すように、図１及び図２に示した上記操作端末２のタッチパネル部１３に代えて、例えば液晶等のディスプレイ１３′が設けられる。このディスプレイ１３′が各請求項記載の表示手段に相当し、上記操作部１２（キーボードＫＢ、タッチパッドＴＰ、及びマウスＭＵ等）が各請求項記載の操作手段に相当する。また、操作検出部１７（検出手段に相当）は、操作部１２における操作を検出し、対応する検出信号を制御回路１４へ出力する。
【００７０】
本変形例における印字オブジェクト選択時の誤選択防止の手法を、上記実施形態の図６及び図７に対応する、図１０及び図１１を用いて以下説明する。
【００７１】
前述の図６（ａ）と同様、上記図５（ａ）のラベルイメージＬＩａが上記ディスプレイ１３′の適宜の表示画面１３Ａ′中に表示されている状態を図１０（ａ）に示す。図１０（ａ）において、ラベルイメージＬＩ１（第１印刷物イメージに相当）には、上記印字オブジェクトＲ１と、上記印字オブジェクトＲ２と、上記印字オブジェクトＲ３と、上記印字オブジェクトＲ４と、を備えている。このような複数（この例では４つ）の印字オブジェクトを含むラベルイメージＬＩ１において、操作者は、上記操作部１２（キーボードＫＢ、タッチパッドＴＰ、及びマウスＭＵ等）を介してカーソルＫを表示画面１３Ａ′内で移動操作することにより、いずれか１つの印字オブジェクトＲを（編集するために）選択することができる。
【００７２】
上記カーソルＫによる操作において、図１０（ｂ）に示すように、操作者が選択を意図する１つの印字オブジェクト（例えば印字オブジェクトＲ２）のみならず、それを含む複数の印字オブジェクト（この例では互いに近接する印字オブジェクトＲ２と印字オブジェクトＲ４）を誤って略同時に選択する（第１選択に相当）場合がありうる。
【００７３】
図１０（ｂ）に示す例では、上記図６（ｂ）と同様、上記同時選択の結果、ラベルイメージＬＩ２において、印字オブジェクトＲ２の周囲に太枠（又は反転表示等でも良い）の装飾態様が表示され、四隅に隅部表示Ｐ１が表示されている。また、印字オブジェクトＲ４においても、その周囲に太枠（又は反転表示等でも良い）の装飾態様が表示され、四隅に隅部表示Ｐ３が表示されている。
【００７４】
上記のような選択が生じた場合、本変形例では、図１０（ｃ）に示すように、操作者の意図を確認する操作入力を促す（言い替えれば後述のラベルイメージＬＩ３の生成可否の確認操作入力を促す）ためのメッセージ表示１３０が、ラベルイメージＬＩ２の上に割り込みウインドウの形で表示される。この例ではメッセージ表示１３０は、「複数のオブジェクトが選択されました。どれか１つにしますか？」というメッセージ内容表示部と、「はい（Ｙ）」という肯定ボタン１３０ａ、「いいえ（Ｎ）」という否定ボタン１３０ｂと、を含んでいる。
【００７５】
上記のような意図の確認は、以下のような意義がある。すなわち、上記実施形態のようなタッチパネル部１３を用いた接触操作の場合と異なり、本変形例におけるカーソルＫによる操作の場合には、操作者が当初より複数の印字オブジェクト（上記の例では印字オブジェクトＲ２と印字オブジェクトＲ４との両方を選択する意図で略同時に選択した可能性がある。但し、上記選択された複数の印字オブジェクトが比較的近接している場合には、上記タッチパネル部１３での選択と同様、誤って複数の印字オブジェクトＲ２，Ｒ４を選択操作した可能性が高い。そこで、本変形例では、上記のように選択された複数の印字オブジェクトが比較的近接している場合（後述の図１２のステップＳ３０参照）に限り、さらにメッセージ表示１３０により誤操作であることを確認したのち、当該誤操作に対応した処理（後述）を行うのである。
【００７６】
なお、上記のように近接する複数のオブジェクトが略同時に選択されたか否かの判定においては、選択された複数の印字オブジェクト間の距離が所定のしきい値以内であるか否かによって行われる（詳細は後述の図１２のステップＳ３０参照）。
【００７７】
上記誤操作であった場合に、操作者がこれに対応してカーソルＫにより上記「はい（Ｙ）」の肯定ボタン１３０ａを操作した（すなわちいずれか１つの印字オブジェクトの選択に進むことを承諾した）場合、上記図６（ｃ）に対応する図１１（ａ）に示すように、当該誤選択された複数（この例では２つ）の印字オブジェクトＲ２及び印字オブジェクトＲ４は、上記ラベルイメージＬＩ２から抜き出されて別々に分離表示される。すなわち、上記ラベルイメージＬＩ２に相当する部分は網み掛けがなされたラベルイメージＬＩ３となるとともに、上記抜き出された印字オブジェクトＲ２，Ｒ４が、上記ラベルイメージＬＩ３の図示下方における左右両側に分かれてそれぞれ表示される（後述の選択を待つ状態）。上記実施形態と同様、このときの印字オブジェクトＲ２，Ｒ４の離間距離Ｌ２（第２離間距離に相当）は、上記ラベルイメージＬＩ１におけるそれら印字オブジェクトＲ２，Ｒ４の離間距離Ｌ１（第１離間距離に相当。図１０（ｂ）参照）よりも大きくなっている。なお、上記のように抜き出された印字オブジェクトＲ２，Ｒ４と、ラベルイメージＬＩ３とが、各請求項記載の第２印刷物イメージに相当している。
【００７８】
上記のようにして抜き出されて離間した状態となることで、図１１（ｂ）に示すように、操作者が、自らが意図する１つの印字オブジェクト（この例では印字オブジェクトＲ２のみを、カーソルＫの移動操作により改めて選択する（第２選択に相当）ことができる。上記実施形態と同様、このようにして選択された印字オブジェクトＲ２の周囲に太枠等の装飾態様が表示されると共に、四隅に隅部表示Ｐ１が表示されている。
【００７９】
上記のようにして、１つの印字オブジェクトＲ２が正しく選択されると、図１１（ｃ）に示すように、ラベルイメージＬＩ４（第３印刷物イメージに相当）において、印字オブジェクトＲ１、印字オブジェクトＲ２、印字オブジェクトＲ３、及び印字オブジェクトＲ４が、元通り（当初の図１０（ａ）のラベルイメージＬＩ１に示す通り）の配列に戻る。その際、上記同様、選択された印字オブジェクトＲ２については、前述の周囲の装飾態様と隅部表示Ｐ１とがそのまま継続して表示され、当該１つの印字オブジェクトＲ２の選択が確定する。これにより、上記実施形態と同様、操作者は、当該選択された１つの印字オブジェクトＲ２を所望に編集し、例えば前述の図５（ｂ）に示すように、印字オブジェクトＲ２を「￥１９８」の文字列から「￥１８８」の文字列に変更することができる。
【００８０】
＜制御手順＞
上記の手法を実現するために、操作端末２の制御回路１４の上記ＣＰＵが、本変形例の操作入力処理プログラムを用いて実行する操作入力処理方法の処理手順を、図１２のフローチャートにより説明する。
【００８１】
図１２においては、上記実施形態における図８のフローで、ステップＳ２５が省略されるとともに、ステップＳ３０とステップＳ５０との間に、ステップＳ３５とステップＳ４０とを新たに設けた点が異なる。他の手順は、表示処理がタッチパネル１３でなくディスプレイ１３′で行われる点を除き、ほぼ同様である。
【００８２】
すなわち、図１２において、まず、上記図８と同様のステップＳ１０で、ＣＰＵは、前述と同様、操作部１２等を介した操作者の文字列等の編集操作やその他の操作を受け付ける。このステップＳ１０が、各請求項記載の編集受付手順に相当する。
【００８３】
その後、上記図８と同様のステップＳ１５で、ＣＰＵは、上記操作部１２等を介し、ディスプレイ１３′に対するラベルイメージ表示の指示があったか否かを判定する。ラベルイメージ表示の指示があればステップＳ１５の判定が満たされ（Ｓ１５：ＹＥＳ）、上記図８と同様のステップＳ２０へ移行する。
【００８４】
ステップＳ２０では、ＣＰＵは、ディスプレイ１３′に対し、上記ステップＳ１０で受け付けた操作に基づく文字列等を含むラベルイメージ（前述の例では４つの印字オブジェクトＲ１，Ｒ２，Ｒ３，Ｒ４を含むラベルイメージＬＩ１。図１０（ａ）参照）を表示させる。このステップＳ２０が、各請求項記載の第１イメージ表示手順に相当する。ステップＳ２０が終了すると、上記図８と同様のステップＳ３０に移行する。
【００８５】
ステップＳ３０では、ＣＰＵは、操作検出部１７の検出結果に基づき、カーソルＫによって、ラベルイメージ中の複数の印字オブジェクト（上記の例では印字オブジェクトＲ２と印字オブジェクトＲ４）の略同時の選択操作（上記図１０（ｂ）等参照）が行われたか否かを判定する。この際、ＣＰＵはさらに、操作検出部１７によりカーソルＫによる略同時の操作が検出された上記複数の印字オブジェクトどうしの距離が、所定のしきい値（予め適宜の値に定められ、例えばメモリ１５に記憶されている）以内に近接しているかどうかを併せて判定する。互いに近接した複数の印字オブジェクトに対し、それらに跨った略同時の選択操作が検出されるとステップＳ３０の判定が満たされ（Ｓ３０：ＹＥＳ）、新たに設けたステップＳ３５に移る。なお、このステップＳ３０が、各請求項記載の第１選択判定手順に相当する。
【００８６】
ステップＳ３５では、ＣＰＵは、ディスプレイ１３′に制御信号を出力し、上記メッセージ表示１３０（第２印刷物イメージの生成可否の確認操作入力を促す表示に相当）を表示させる。なお、このステップＳ３５が、各請求項記載の確認表示手順に相当する。その後、新たに設けたステップＳ４０に移る。
【００８７】
ステップＳ４０では、ＣＰＵは、メッセージ表示１３０に対する確認操作がなされたか否か、すなわち、「はい（Ｙ）」の肯定ボタン１３０ａがカーソルＫにより操作された否かを判定する。確認操作入力がなされなければステップＳ４０の判定が満たされず（Ｓ４０：ＮＯ）ループ待機する。確認操作入力が行われるとステップＳ４０の判定が満たされ（Ｓ４０：ＹＥＳ）、上記図８と同様のステップＳ５０に移る。
【００８８】
ステップＳ５０では、ＣＰＵは、ディスプレイ１３′に制御信号を出力し、上記ステップＳ３０で選択された複数の印字オブジェクト（上記の例では印字オブジェクトＲ２と印字オブジェクトＲ４）を抽出して互いに大きく（第２離間距離Ｌ２）離間させた、上記ラベルイメージＬＩ１とは別の上記ラベルイメージＬＩ３を、表示させる（上記図１１（ａ）参照）。なお、このステップＳ５０が、各請求項記載の第２イメージ表示手順に相当する。その後、上記図８と同様のステップＳ６０に移る。
【００８９】
ステップＳ６０では、ＣＰＵは、上記操作検出部１７の検出結果に基づき、上述のようにして離間した複数の印字オブジェクトのいずれか一方（上記の例では印字オブジェクトＲ２）が、カーソルＫによって再度選択されたか否かを判定する。いずれか一方の印字オブジェクトが選択されるまではステップＳ６０の判定が満たされず（Ｓ６０：ＮＯ）、判定が満たされるまでループ待機する。いずれか一方の印字オブジェクト（上記図１１（ｂ）の例では印字オブジェクトＲ２）が選択されるとステップＳ６０の判定が満たされ（Ｓ６０：ＹＥＳ）、上記図８と同様のステップＳ７０に移行する。なお、このステップＳ６０が、各請求項記載の第２選択判定手順に相当する。
【００９０】
ステップＳ７０では、ＣＰＵは、ディスプレイ１３′に制御信号を出力し、ステップＳ６０で選択された１つの印字オブジェクト（上記図１１（ｂ）の例では印字オブジェクトＲ２）を、元のラベルイメージ（上記の例ではラベルイメージＬＩ１）中に戻し、かつ他の印字オブジェクトとは異なる態様（上記の例では太枠等で強調された態様）としたラベルイメージＬＩ４を、ディスプレイ１３′に表示する（上記図１１（ｃ）参照）。その後、このフローを終了する。なお、上記ステップＳ７０が、各請求項記載の第３イメージ表示手順に相当する。
【００９１】
以上説明した本変形例においても、上記実施形態と同様の効果を得る。すなわち、操作者が複数の印字オブジェクト（上記の例では印字オブジェクトＲ２と印字オブジェクトＲ４）を誤って略同時に選択した場合、その後、それら複数の印字オブジェクトＲ２，Ｒ４が離間距離Ｌ２にて互いに大きく離れて表示される。これにより、操作者は、上記のような誤った選択を再度行うのを回避しつつ、自分の意図するただ１つの印字オブジェクト（上記の例では印字オブジェクトＲ２）の選択を容易かつ確実に行うことができる。これにより、操作者にとっての利便性を向上することができる。
【００９２】
また、操作検出部１７の検出結果に基づき、複数の印字オブジェクトＲ２，Ｒ４に跨った略同時の接触による第１選択がカーソルＫによりなされたか否かが判定される（図１２のステップＳ３０参照）。そして、当該判定が満たされた場合には、それら複数の印字オブジェクトＲ２，Ｒ４を大きく離間させてディスプレイ１３′に表示する（図１２のステップＳ５０参照）。これにより、操作者が、操作部１２を介したカーソルＫの操作において、複数の印字オブジェクトＲ２，Ｒ４を誤って略同時に選択してしまった場合であっても、その後、離間した状態の印字オブジェクトＲ２，Ｒ４から、意図する１つの印字オブジェクトＲ２を確実に選択しなおすことができる。
【００９３】
また、上記のように離間して複数の印字オブジェクトＲ２，Ｒ４が表示された状態で、操作者がカーソルＫによってそれらのうち１つの印字オブジェクトＲ２を選択すると、元通りの配置でそれら複数の印字オブジェクトＲ２，Ｒ４が配置されたラベルイメージＬＩ４が表示される。またその際、上記選択された１つの印字オブジェクトＲ２が、他の印字オブジェクトＲ１，Ｒ３，Ｒ４とは異なる装飾が付されて表示される。これにより、操作者は、自分の意図するただ１つの印字オブジェクトが正しく選択されたことを、視覚的に確実に認識することができる。
【００９４】
また、上記のようなカーソルＫによる複数の印字オブジェクトＲ２，Ｒ４の選択操作（言い替えれば誤選択が疑われる操作）が生じた場合、操作者の意図を確認する操作入力を促すためのメッセージ表示１３０が表示される（上記図１２のステップＳ３５参照）。このようにすることで、上記操作者が当初より複数の印字オブジェクトＲ２，Ｒ４を選択する意図であった場合を、それ以降の処理（ステップＳ５０、ステップＳ６０、ステップＳ７０）の適用対象から除外することができる。この結果、操作者の意図通りの操作の時には不要である、ラベルイメージＬＩ３等を生成する無駄を確実に回避することができる。
【００９５】
（２）携帯型の操作端末を用いる場合
本変形例では、前述した例えば汎用パソコンからなる操作端末２，２′に代えて、携帯型の操作端末１１０が用いられる。すなわち、操作端末１１０は、図１３に示すように、操作者が操作可能な操作ボタン１１２と、例えば液晶ディスプレイ等を備えたタッチパネル部１１３とを有する。
【００９６】
図１４に示すように、操作端末１１０は、上記実施形態の操作端末２のものと同様の機能を備える、制御回路１４、メモリ１５、通信制御部１６、及び、操作検出部１７（検出手段に相当）と、上記操作ボタン１１２′と、上記タッチパネル部１１３と、を有する。前述の実施形態と同様、制御回路１４は、通信制御部１６を介し、無線通信（又は有線通信）によりラベル作成装置３と接続されており、ラベル作成装置３と各種情報やデータの送受が可能となっている。
【００９７】
タッチパネル部１１３は、上記実施形態におけるタッチパネル部１３と同様、所定の操作機能及び所定の表示機能を備えている。すなわち、タッチパネル部１１３は、操作者の操作ボタン１１２′（又は当該タッチパネル部１１３）を介した操作入力に基づき、印字ラベルＬに印字するオブジェクトを含むラベルイメージＬＩ１〜ＬＩ４等を表示することができる（後述の図１５、図１６等を参照）。また、このタッチパネル部１１３では、操作者の指先の接触操作により、上記のようにして表示されたラベルイメージＬＩ１〜ＬＩ４のオブジェクトを（例えば編集のために）選択することできる（詳細は後述）。このときの上記接触操作は上記操作検出部１７によって検出され、対応する検出信号が制御回路１４へ出力される。
【００９８】
本変形例における印字オブジェクト選択時の誤選択防止の手法を、上記実施形態の図６及び図７に対応する、図１５及び図１６を用いて以下説明する。
【００９９】
前述の図６（ａ）と同様、上記図５（ａ）のラベルイメージＬＩａが上記タッチパネル部１１３の適宜の表示画面１１３Ａ中に表示されている状態を図１５（ａ）に示す。図１５（ａ）において、ラベルイメージＬＩ１（第１印刷物イメージに相当）には、上記印字オブジェクトＲ１と、上記印字オブジェクトＲ２と、上記印字オブジェクトＲ３と、上記印字オブジェクトＲ４と、を備えている。このような複数（この例では４つ）の印字オブジェクトを含むラベルイメージＬＩ１において、操作者は、タッチパネル部１３を指先Ｈでタッチすることにより、いずれか１つの印字オブジェクトＲを（編集するために）選択することができる。
【０１００】
上記指先Ｈによる操作において、図１５（ｂ）に示すように、操作者が選択を意図する１つの印字オブジェクト（例えば印字オブジェクトＲ２）のみならず、それを含む複数の印字オブジェクト（この例では互いに重なって配置されている印字オブジェクトＲ２と印字オブジェクトＲ３）を誤って略同時に選択する（第１選択に相当）場合がありうる。
【０１０１】
図１５（ｂ）に示す例では、前述した図６（ｂ）と同様、上記同時選択の結果、ラベルイメージＬＩ２において、印字オブジェクトＲ２の周囲に太枠（又は反転表示等でも良い）の装飾態様が表示され、四隅に隅部表示Ｐ１が表示されている。また、印字オブジェクトＲ３において、（上記同様に選択されたことを表すために）二重線の両端に、端部表示Ｐ２が表示されている。
【０１０２】
上記のような誤選択が生じた場合、上記図６（ｃ）に対応する図１５（ｃ）に示すように、当該誤選択された複数（この例では２つ）の印字オブジェクトＲ２及び印字オブジェクトＲ３が、上記ラベルイメージＬＩ２から抜き出されて別々に分離表示される。すなわち、上記ラベルイメージＬＩ２に相当する部分は網み掛けがなされたラベルイメージＬＩ３となるとともに、上記抜き出された印字オブジェクトＲ２，Ｒ３が、上記ラベルイメージＬＩ３の図示下方における左右両側に分かれてそれぞれ表示される（後述の選択を待つ状態）。上記実施形態と同様、このときの印字オブジェクトＲ２，Ｒ３の離間距離Ｌ２（第２離間距離に相当）は、上記ラベルイメージＬＩ１におけるそれら印字オブジェクトＲ２，Ｒ３の離間距離Ｌ１（第１離間距離に相当。図１５（ｂ）の例では重なり合っているのでＬ１＝０である）よりも大きくなっている。なお、上記のように抜き出された印字オブジェクトＲ２，Ｒ３と、ラベルイメージＬＩ３とが、各請求項記載の第２印刷物イメージに相当している。
【０１０３】
上記のようにして抜き出されて離間した状態となることで、図１６（ｂ）に示すように、操作者が、自らが意図する１つの印字オブジェクト（この例では印字オブジェクトＲ２のみを、指先Ｈの接触操作により改めて選択する（第２選択に相当）ことができる。上記実施形態と同様、このようにして選択された印字オブジェクトＲ２の周囲に太枠等の装飾態様が表示されると共に、四隅に隅部表示Ｐ１が表示されている。
【０１０４】
上記のようにして、１つの印字オブジェクトＲ２が正しく選択されると、図１６（ｃ）に示すように、ラベルイメージＬＩ４（第３印刷物イメージに相当）において、印字オブジェクトＲ１、印字オブジェクトＲ２、印字オブジェクトＲ３、及び印字オブジェクトＲ４が、元通り（当初の図１５（ａ）のラベルイメージＬＩ１に示す通り）の配列に戻る。その際、上記同様、選択された印字オブジェクトＲ２については、前述の周囲の装飾態様と隅部表示Ｐ１とがそのまま継続して表示され、当該１つの印字オブジェクトＲ２の選択が確定する。これにより、上記実施形態と同様、操作者は、当該選択された１つの印字オブジェクトＲ２を所望に編集し、例えば前述の図５（ｂ）に示すように、印字オブジェクトＲ２を「￥１９８」の文字列から「￥１８８」の文字列に変更することができる。
【０１０５】
上述した手法を実現するために、操作端末１１０の制御回路１４のＣＰＵが上記操作入力処理プログラムを用いて実行する操作入力処理方法の各手順は、上記図８に示したものと同様であり、説明を省略する。
【０１０６】
以上説明した本変形例においても、上記実施形態と同様の効果を得る。すなわち、操作者が複数の印字オブジェクト（上記の例では印字オブジェクトＲ２と印字オブジェクトＲ３）を誤って略同時に選択した場合、その後、それら複数の印字オブジェクトＲ２，Ｒ３が離間距離Ｌ２にて互いに大きく離れて表示される。これにより、操作者は、上記のような誤った選択を再度行うのを回避しつつ、自分の意図するただ１つの印字オブジェクト（上記の例では印字オブジェクトＲ２）の選択を容易かつ確実に行うことができる。これにより、操作者にとっての利便性を向上することができる。
【０１０７】
また、上記のように離間して複数の印字オブジェクトＲ２，Ｒ３が表示された状態で、操作者が指先Ｈによってそれらのうち１つの印字オブジェクトＲ２を選択すると、元通りの配置でそれら複数の印字オブジェクトＲ２，Ｒ３が配置されたラベルイメージＬＩ４が表示される。またその際、上記選択された１つの印字オブジェクトＲ２が、他の印字オブジェクトＲ１，Ｒ３，Ｒ４とは異なる装飾が付されて表示される。これにより、操作者は、自分の意図するただ１つの印字オブジェクトが正しく選択されたことを、視覚的に確実に認識することができる。
【０１０８】
なお、以上において、図２、図３、図９、図１４の各図中に示す矢印は信号の流れの一例を示すものであり、信号の流れ方向を限定するものではない。
【０１０９】
また、図４、図８、図１２に示すフローチャートは本発明を上記フローに示す手順に限定するものではなく、発明の趣旨及び技術的思想を逸脱しない範囲内で手順の追加・削除又は順番の変更等をしてもよい。
【０１１０】
また、以上既に述べた以外にも、上記実施形態や各変形例による手法を適宜組み合わせて利用しても良い。
【０１１１】
その他、一々例示はしないが、本発明は、その趣旨を逸脱しない範囲内において、種々の変更が加えられて実施されるものである。
【符号の説明】
【０１１２】
２                操作端末
３                ラベル作成装置（印刷装置）
１２              操作部（操作手段）
１３              タッチパネル部（表示手段、操作手段）
１４              制御回路
１７              操作検出部（検出手段）
３３              被印字テープ（被印字媒体）
１１３            タッチパネル部（表示手段、操作手段）
Ｌ                印字ラベル（印刷物）
Ｌ１              離間距離（第１離間距離）
Ｌ２              離間距離（第２離間距離）
ＬＩ１            ラベルイメージ（第１印刷物イメージ）
ＬＩ３            ラベルイメージ（第２印刷物イメージ）
ＬＩ４            ラベルイメージ（第３印刷物イメージ）
Ｒ１〜４          印字オブジェクト
【図１】
2014232513.tif 000003
【図２】
2014232513.tif 000004
【図３】
2014232513.tif 000005
【図４】
2014232513.tif 000006
【図５】
2014232513.tif 000007
【図６】
2014232513.tif 000008
【図７】
2014232513.tif 000009
【図８】
2014232513.tif 000010
【図９】
2014232513.tif 000011
【図１０】
2014232513.tif 000012
【図１１】
2014232513.tif 000013
【図１２】
2014232513.tif 000014
【図１３】
2014232513.tif 000015
【図１４】
2014232513.tif 000016
【図１５】
2014232513.tif 000017
【図１６】
2014232513.tif 000018